(57)【特許請求の範囲】
【請求項１】
試薬部への干渉を防止する干渉防止部材が取り付けられた乾式分析素子を装填する装填部と、
前記装填部から前記乾式分析素子を搬送する搬送手段と、
搬送される前記乾式分析素子の前記干渉防止部材に接触して前記干渉防止部材を除去する除去部材を備えた干渉防止部材除去部と、
を備え、
前記干渉防止部材は、前記乾式分析素子の孔に嵌められ前記除去部材に引っ掛けられるキャップである、干渉防止部材分離装置。
【請求項２】
前記除去部材は、前記乾式分析素子の搬送動作に伴い、当該乾式分析素子の前記キャップの端部に引っ掛かり、当該キャップを除去するブレードである、請求項１に記載の干渉防止部材分離装置。
【請求項３】
前記ブレードを揺動させる駆動手段を備えている、請求項２に記載の干渉防止部材分離装置。
【請求項４】
前記除去部材には、前記キャップを引っ掛ける引掛部が設けられている、請求項１〜請求項３の何れか１項に記載の干渉防止部材分離装置。
【請求項５】
前記搬送手段は、前記乾式分析素子がスライドする搬送経路と、前記搬送経路の搬送面に形成され、前記キャップとの干渉を避ける溝と、
を有する請求項４に記載の干渉防止部材分離装置。
【請求項６】
前記キャップの端部にはテーパー状の面取りが形成され、前記引掛部の挿入用とされている、請求項４または請求項５に記載の干渉防止部材分離装置。
【請求項７】
試薬部への干渉を防止するキャップが孔に嵌められた乾式分析素子を搬送する搬送工程と、
搬送される前記乾式分析素子の前記キャップに除去部材を引っ掛け、前記キャップを前記乾式分析素子から除去する干渉防止部材除去部工程と、
を有する干渉防止部材分離方法。
【請求項８】
請求項１〜請求項６の何れか１項に記載の干渉防止部材分離装置と、
前記干渉防止部材分離装置によって前記干渉防止部材の除去された前記乾式分析素子を用いて検体の検査を行う検査部と、
を備えた生化学分析装置。
【発明の詳細な説明】
【技術分野】
【０００１】
本発明は、血液、尿等の検体中の所定の生化学物質の物質濃度を求める生化学分析装置に用いられる乾式分析素子に取り付けられた干渉防止用の干渉防止部材を除去する干渉防止部材分離装置、及び干渉防止部材分離装置を備えた生化学分析装置に関する。
【背景技術】
【０００２】
従来より、検体の小滴を点着供給するだけでこの検体中に含まれている特定の化学成分または有形成分を定量分析することのできる比色タイプの乾式分析素子が開発され、実用化されている。この乾式分析素子を用いた生化学分析装置は、簡単かつ迅速に検体の分析を行うことができるので、医療機関、研究所等において好適に用いられている。
【０００３】
比色タイプの乾式分析素子を使用する比色測定法は、検体を乾式分析素子に点着させた後、これをインキュベータ内で所定時間恒温保持して呈色反応（色素生成反応）させ、次いで検体中の所定の生化学物質と乾式分析素子に含まれる試薬との組み合わせにより予め選定された波長を含む測定用照射光をこの乾式分析素子に照射してその光学濃度を測定し、この光学濃度から、予め求めておいた光学濃度と所定の生化学物質の物質濃度との対応を表す検量線を用いて該生化学物質の濃度を求めるものである。
【０００４】
例えば、一般的な検査項目に応じた複数種類の乾式分析素子を纏めて一つの包装体に収納して準備しておくことが考えられる。検査時には、包装体から複数種類の乾式分析素子を取り出して纏めて装置に装填するだけで良く、取り扱いは容易である。
しかしながら、複数種類の乾式分析素子を纏めて一つの包装体に収納しておくと、乾式分析素子に設けられている試薬が、他の乾式分析素子の試薬によって影響（干渉）を受け、測定精度の低下を招く懸念がある。
そこで、乾式分析素子の試薬が、他の試薬等によって影響を受けないように、乾式分析素子に干渉防止シートを貼り付けて、包装体に収容することが考えられる。
なお、特許文献１には、検査部をヒートシールした試験片（乾式分析素子）が開示されている。
【先行技術文献】
【特許文献】
【０００５】
【特許文献１】特開平７−１９８７０６号公報
【発明の概要】
【発明が解決しようとする課題】
【０００６】
このように干渉防止シートを用いることよって、乾式分析素子の試薬が、他の試薬によって影響を受けることは無くなるが、分析装置で分析をする際には、乾式分析素子から干渉防止シートを剥がして除去しなければならず、オペレーターの作業が煩雑になる問題がある。
【０００７】
本発明はかかる点に鑑み、乾式分析素子から干渉防止部材を自動的に除去し、生化学分析装置で効率的に検査を行うことができる干渉防止部材分離装置、及び生化学分析装置を提供することを目的とする。
【課題を解決するための手段】
【０００８】
請求項１に記載の干渉防止部材分離装置は、試薬部への干渉を防止する干渉防止部材が取り付けられた乾式分析素子を装填する装填部と、前記装填部から前記乾式分析素子を搬送する搬送手段と、搬送される前記乾式分析素子の前記干渉防止部材に接触して前記干渉防止部材を除去する除去部材を備えた干渉防止部材除去部と、を備え、前記干渉防止部材は、前記乾式分析素子の孔に嵌められ前記除去部材に引っ掛けられるキャップである。
【０００９】
請求項１に記載の干渉防止部材分離装置では、干渉防止部材が取り付けられた乾式分析素子が装填部に装填される。
装填部に装填された乾式分析素子は搬送手段によって搬送され、搬送される乾式分析素子の干渉防止部材が干渉防止部材除去部の除去部材に接触することで、干渉防止部材が乾式分析素子から除去される。
【００１０】
請求項２に記載の発明は、請求項１に記載の干渉防止部材分離装置において、前記除去部材は、前記乾式分析素子の搬送動作に伴い、当該乾式分析素子の前記干渉防止部材に引っ掛かり、当該干渉防止部材を除去するブレードである。
【００１１】
請求項２に記載の干渉防止部材分離装置では、搬送される乾式分析素子の干渉防止部材の先端にブレードが引っ掛けられることで、搬送される乾式分析素子から干渉防止部材を除去することができる。
【００１２】
請求項３に記載の発明は、請求項２に記載の干渉防止部材分離装置において、前記ブレードを揺動させる駆動手段を備えている。
【００１３】
請求項３に記載の干渉防止部材分離装置では、駆動手段によってブレードを揺動させることができ、これにより、乾式分析素子に対してブレードの先端を接近させたり、離したりすることが出来る。
例えば、ブレードの先端で、搬送されてくる乾式分析素子の干渉防止部材の先端部を引っ掛けた後、ブレードの先端を乾式分析素子から離れる様にブレードを揺動させることで、干渉防止部材の除去性を向上させることができる。
【００２２】
請求項４に記載の発明は、請求項１〜請求項３の何れか１項に記載の干渉防止部材分離装置において、前記除去部材には、前記キャップを引っ掛ける引掛部が設けられている。
【００２３】
請求項４に記載の干渉防止部材分離装置では、除去部材にキャップを引っ掛ける引掛部が設けられているので、乾式分析素子の孔に嵌められているキャップは、除去部材の引掛部に引っ掛けられて除去される。
【００２４】
請求項５に記載の発明は、請求項４に記載の干渉防止部材分離装置において、前記搬送手段は、前記乾式分析素子がスライドする搬送経路と、前記搬送経路の搬送面に形成され、前記キャップとの干渉を避ける溝と、を有する。
【００２５】
請求項５に記載の干渉防止部材分離装置では、乾式分析素子を搬送経路でスライドする際に、搬送経路に設けられた溝が搬送経路とキャップとの干渉を防止する。
【００２６】
請求項６に記載の発明は、請求項４または請求項５に記載の干渉防止部材分離装置において、前記キャップの端部にはテーパー状の面取りが形成され、前記引掛部の挿入用とされている。
【００２７】
請求項６に記載の干渉防止部材分離装置では、キャップの端部にテーパー状の面取りが形成されており、引掛部の挿入用とされているため、キャップにブレードが引っかかり易くなり、キャップを除去し易くなる。
【００３２】
請求項７に記載の干渉防止部材分離方法は、試薬部への干渉を防止するキャップが孔に嵌められた乾式分析素子を搬送する搬送工程と、搬送される前記乾式分析素子の前記キャップに除去部材を引っ掛け、前記キャップを前記乾式分析素子から除去する干渉防止部材除去部工程と、を有する。
【００３３】
先ず、搬送工程では、試薬部への干渉を防止する干渉防止シートが貼り付けられた乾式分析素子が搬送される。
次の干渉防止部材除去部工程では、搬送される乾式分析素子のキャップに除去部材が引っ掛けられ、キャップが乾式分析素子から除去される。
【００３４】
請求項８に記載の生化学分析装置は、請求項１〜請求項６の何れか１項に記載の干渉防止部材分離装置と、前記干渉防止部材分離装置によって干渉防止部材の除去された乾式分析素子を用いて検体の検査を行う検査部と、を備えている。
【００３５】
請求項８に記載の生化学分析装置では、干渉防止部材分離装置で検査時に不要な干渉防止部材を除去した後、検査部で干渉防止部材の除去された乾式分析素子を用いて検体の検査を行うことが出来る。
【発明の効果】
【００３６】
本発明の干渉防止部材分離装置によれば、乾式分析素子から干渉防止部材を自動的に除去することができるので、生化学分析装置で効率的に検査を行うことができる、という優れた効果を有する。
本発明の生化学分析装置によれば、乾式分析素子から干渉防止部材を自動的に除去することができるので、効率的に検査を行うことができる、という優れた効果を有する。
【図面の簡単な説明】
【００３７】
【図１】本発明の第１の実施形態に係る生化学分析装置の概略構成を示す斜視図である。
【図２】生化学分析装置の要部機構の平面配置図である。
【図３】（Ａ）は乾式分析素子の分解斜視図であり、（Ｂ）は乾式分析素子の斜視図であり、（Ｃ）は多層試薬フィルムの斜視図及び拡大断面図である。
【図４】包装体によって真空包装された乾式分析素子の断面図である。
【図５】検体カートリッジの斜視図である。
【図６】干渉防止部材除去部の斜視図である。
【図７】（Ａ）及び（Ｂ）は干渉防止部材除去部の断面図である。
【図８】本発明の生化学分析装置の制御の一例を示すフローチャートである。
【図９】（Ａ）は第２の実施形態に係る干渉防止部材除去部の断面図であり、（Ｂ）は第２の実施形態に係る干渉防止部材除去部の粘着ローラ、及び分離ブレードの斜視図である。
【図１０】（Ａ）は他の実施形態に係る乾式分析素子の斜視図であり、（Ｂ）は更に他の実施形態に係る乾式分析素子の側面図である。
【図１１】第３の実施形態に係る乾式分析素子の分解斜視図である。
【図１２】第３の実施形態に係る乾式分析素子の断面図である。
【図１３】包装体によって真空包装された乾式分析素子の断面図である。
【図１４】（Ａ）は第３の実施形態に係る干渉防止部材除去部の斜視図であり、（Ｂ）は干渉防止部材除去部の搬送方向に直行する方向の縦断面図である。
【図１５】（Ａ）及び（Ｂ）は第３の実施形態に係る干渉防止部材除去部の搬送方向に沿った縦断面図である。
【図１６】第４の実施形態に係る乾式分析素子の下裏面側から見た斜視図である。
【図１７】（Ａ）は第４の実施形態に係る干渉防止部材除去部の斜視図であり、（Ｂ）は干渉防止部材除去部の搬送方向に直行する方向の縦断面図である。
【図１８】（Ａ）及び（Ｂ）は第４の実施形態に係る干渉防止部材除去部の搬送方向に沿った縦断面図である。
【図１９】（Ａ）及び（Ｂ）は第５の実施形態に係る干渉防止部材除去部の搬送方向に沿った縦断面図である。
【発明を実施するための形態】
【００３８】
［第１の参考例］
以下、本発明の生化学分析装置の第１の参考例を図１乃至図８にしたがって説明する。なお、図１は生化学分析装置の概略機構を示す斜視図、図２は図１とは一部形態が異なる生化学分析装置の要部機構の平面配置図、図３は図２における検体カートリッジの斜視図である。
【００３９】
（全体構成）
図１、及び図２に示すように、生化学分析装置１は、装置本体１７の前部の一方（矢印Ａ方向とは反対方向側）に円形のサンプラトレイ２が、他方（矢印Ａ方向側）に円形のインキュベータ３が、両者の間に点着部４（図１では図示省略、図２参照）、及び干渉防止部材除去部３４が、上部には左右に移動する点着ノズルユニット５がそれぞれ配設されている。また、サンプラトレイ２の近傍には、血液から血漿を分離する血液濾過ユニット６が設置されている。
【００４０】
図２に示すように、サンプラトレイ２は、正転方向および逆転方向に回転駆動される円環状（ドーナツ状）の回転台２２を有し、この回転台２２にはその円環形状が中心から放射状に８個に等分割された検体カートリッジ７および消耗品カートリッジ８が装填され、全部の検体カートリッジ７，消耗品カートリッジ８の装填によって円環状となる。検体カートリッジ７および消耗品カートリッジ８は平面同形状であり、独自に着脱可能である。
【００４１】
５つの検体カートリッジ７は、検体を収容した検体容器１０を保持する検体保持部７１を有すると共に、その測定項目に対応して必要とされる未使用の乾式分析素子１１を保持する素子保持部７２を有する。３つの消耗品カートリッジ８は、１つが多数のノズルチップ１２を配列保持し、他の１つが多数の混合カップ１３を保持し、残り１つが希釈液容器１４および参照液容器１５を保持する。消耗品カートリッジ８にはそれぞれの保持形態に対応した保持凹部が形成されている。
【００４２】
上記のような検体カートリッジ７および消耗品カートリッジ８の装填により、サンプラトレイ２には、図１と同様に１つの検体容器１０とその測定に必要な未使用の乾式分析素子１１を組み合わせた複数組みの検体と乾式分析素子１１とを装填すると共に、消耗品としてのノズルチップ１２、混合カップ１３、参照液容器１５および希釈液容器１４を予め装填している。
【００４３】
サンプラトレイ２の回転台２２は、不図示の回転駆動機構により、点着ノズルユニット５の動作位置に正転方向または逆転方向に回転駆動される。その回転位置と、点着ノズルユニット５の移動位置を制御することにより、必要なノズルチップ１２を取り出し、必要な検体や希釈液、参照液を吸引し、必要により混合するという、検体点着のための所定の動作が行われる。
【００４４】
図２に示すように、サンプラトレイ２の中央部には、乾式分析素子１１を搬送する搬送手段９を備える。この搬送手段９は、不図示の機構によってサンプラトレイ２の半径方向にスライド移動可能に配設された素子搬送部材９１（挿入レバー）を有し、この素子搬送部材９１の前進移動制御によってその先端部で乾式分析素子１１を押して検体カートリッジ７から自動的に取り出して点着部４に搬送し、点着後の乾式分析素子１１をインキュベータ３に搬送し、測定後にはインキュベータ３の中心方向にさらに乾式分析素子１１を搬送して廃却するように設けられている。そして、回転台２２の回転位置を制御して、順に検体カートリッジ７を点着部４に対応する位置に停止させて、必要な乾式分析素子１１を検体カートリッジ７から取り出すことができる。
【００４５】
検体カートリッジ７は、図２の形態のものの斜視図を図５に示すように、平面形状（上面および底面）がサンプラトレイ２を分割した扇形になっており、内側面７ａおよび外側面７ｂが円弧状湾曲面に設けられ、左右側面が中心方向に向く斜面に設けられている。この検体カートリッジ７は検体容器１０を保持する検体保持部７１および乾式分析素子１１を収容する素子保持部７２を備えている。
【００４６】
素子保持部７２は検体カートリッジ７の上面から略角筒状の凹部に形成され、上面に略矩形状に素子装填口７２ａが開口し、この素子装填口７２ａから必要枚数の乾式分析素子１１が挿入され積み重ねられる。所定の深さ位置の底面７２ｂにおける内側面７ａには乾式分析素子１１を押し出す素子搬送部材９１が挿入できる挿入口７２ｃが、反対側の外側面７ｂには収納した最下段の乾式分析素子１１を挿通させて押し出すことができる素子取出口７２ｄが連通して開口されている。挿入口７２ｃから挿入された素子搬送部材９１によって素子保持部７２内の最下段の乾式分析素子１１が外周側に押され、素子取出口７２ｄから点着部４の方向に取り出される。なお、素子保持部７２に挿入した乾式分析素子１１の上部に重りを搭載し、乾式分析素子１１を下方に押圧して素子搬送部材９１による取り出しが確実に行えるようにするのが好適である。
【００４７】
挿入口７２ｃは乾式分析素子１１の幅より狭く形成され、乾式分析素子１１が内側面７ａの方向に飛び出さないようになっている。素子取出口７２ｄは１枚の乾式分析素子１１のみが挿通可能に、その上下方向の開口高さが乾式分析素子１１の２枚の厚み以下に形成されている。なお、素子搬送部材９１は素子取出口７２ｄを通ってさらに前進して乾式分析素子１１を搬送する。
【００４８】
また、検体保持部７１は検体カートリッジ７の上面から略円筒状の凹部に形成され、上面に略円形状に装填口７１ａが開口し、採血管等の検体容器１０が挿入され、所定の深さ位置の底面７１ｂに保持される。この検体保持部７１は、検体カートリッジ７が内側面７ａが狭く外側面７ｂが広く形成され、矩形状の素子保持部７２の側方部が外側面７ｂの近傍で広くなった部分に配置して、比較的寸法の大きい採血管等の検体容器１０の装填が行えると共に、前記素子搬送部材９１と干渉しないような構造にしている。また、このような配置にすることにより、面積を有効に使い、サンプラトレイ２を小型化できる。
【００４９】
なお、血漿濾過が必要な検体については、図１に示すように、検体カートリッジ７に納めた検体容器１０の上端に濾過フィルターを備えたホルダー１６を装着しておく。
【００５０】
なお、検体カートリッジ７には識別部材が配設され、サンプラトレイ２への検体カートリッジ７の装填が検出され、検体ＩＤ、濾過の有無等が識別される。また、上記検体カートリッジ７と同形状である図２に示す消耗品カートリッジ８は、収容した消耗品の残量が少量になったときは、予めノズルチップ１２および混合カップ１３を載置した新しい消耗品カートリッジ８を用意して入れ替えることができる。
【００５１】
ここで、検体カートリッジ７に装填される乾式分析素子１１について説明する。
図３に示すように、検体の呈色度合を測定するために使用される比色タイプの乾式分析素子１１は、合成樹脂で形成された矩形のプレート状とされたマウント２３を備えている。マウント２３は、中央に円形の点着孔２３Ａが形成されており、裏面には、点着孔２３Ａよりも大きな矩形の凹部２３Ｂが形成されている。
【００５２】
凹部２３Ｂには、多層試薬フィルム２４が配置されている。
多層試薬フィルム２４は、検体(液）を均一に展開するための展開層２４Ａ、検体の色を遮断する比色分析の反射板としての反射層２４Ｂ、検体を点着後、検体に反応し発色する試薬が含まれた反応層２４Ｃ、及び光線を透過し、全体を平らに支持する合成樹脂製の透明支持体２４Ｄから構成されている。
乾式分析素子１１の多層試薬フィルム２４は、検体中の検査対象物質の量に比例する発色濃度を分光光度計によって光学的に測定される。
【００５３】
マウント２３の裏面には、中央に孔２５Ａの形成されたカバープレート２５が接着されている。なお、カバープレート２５の表面（下面）には、試薬の種類を識別したり、検査項目などを特定するための情報が記録されたバーコードが印刷されている。
これにより、凹部２３Ｂに配置された多層試薬フィルム２４は、凹部２３Ｂ内に保持され、展開層２４Ａは表面側の点着孔２３Ａを介して中央部分が表面側に露出しており、透明支持体２４Ｄは裏面側の孔２５Ａを介して中央部分が表面側に露出している。
【００５４】
さらに、本参考例の乾式分析素子１１は、カバープレート２５の表面（下面）全体に、干渉防止シート２６が貼り付けられている。干渉防止シート２６は、容易に剥がすことができるように粘着剤にてカバープレート２５に貼り付けられている。なお、本参考例では、干渉防止シート２６が粘着剤にてカバープレート２５に貼り付けられているが、後で剥がし易い様に接着力の弱い接着剤で貼り付けられていても良い。
また、本参考例の干渉防止シート２６は、マウント２３の長手方向一方側（搬送方向の前端側）の端縁から一辺全体が突出している。また、干渉防止シート２６のマウント２３から突出している部分は、図３（Ａ）に示すように、マウント２３側とは反対側に曲げ癖が付けられている。
【００５５】
干渉防止シート２６は、多層試薬フィルム２４の反応層２４Ｃに含まれている試薬を透過させない、または透過し難いような素材、例えば、アルミ箔と合成樹脂等からなるフィルムから形成されており、カバープレート２５に貼り付けられる部分のみに粘着剤が付与されている。なお、反応層２４Ｃに含まれている試薬を透過させなければ干渉防止シート２６の厚み関して特に制限はない。
【００５６】
図４に示すように、試薬の種類が各々異なる複数枚の乾式分析素子１１は、同じ向きに積層された状態で、包装体２７によって真空包装されている。
このように、複数枚の乾式分析素子１１が積層されることで、例えば、図４に示す一番上の乾式分析素子１１は、展開層２４Ａが露出しているが、上から２番目から一番下までは乾式分析素子１１の表面（上面）が、その上側に配置される乾式分析素子１１の裏面に貼り付けられた干渉防止シート２６に密着するので、展開層２４Ａは露出していない。
【００５７】
ここで、上から２番目から一番下までは乾式分析素子１１は、展開層２４Ａが露出していないため、乾式分析素子１１の試薬が、他の乾式分析素子１１の試薬の影響を受けることが防止される（干渉防止）。
一方、一番上の乾式分析素子１１は、展開層２４Ａが露出しているが、他の乾式分析素子１１の表面は全て干渉防止シート２６が密着して展開層２４Ａで塞がれているので、複数枚の乾式分析素子１１が包装体２７の中で積層されている限り、一番上の乾式分析素子１１の試薬が他の乾式分析素子１１の試薬に影響されることは無い。
【００５８】
なお、検体のイオン活性を測定するために使用される電解質タイプの乾式分析素子（図示せず）は、２箇所の液供給孔が形成されている。一方の液供給孔には検体が点着され、他方の液供給孔にはイオン活量が既知である参照液が点着される。また、イオン活量を測定するために電位差測定手段の電位測定用プローブと電気的に接続される３対のイオン選択電極対が形成されている。
【００５９】
図１、及び図２に示すように、点着部４は、乾式分析素子１１に血漿、全血、血清、尿などの検体を点着するもので、点着ノズルユニット５によって比色測定タイプの乾式分析素子１１には検体を、電解質タイプの乾式分析素子１１には検体と参照液を点着する。
【００６０】
この点着部４には、乾式分析素子１１の底面を受ける載置台４１と、上方の点着用開口を有する素子押え（図示せず）が設置され、両者の間を乾式分析素子１１が移動する。点着部４の前段部分には、図示してないが、乾式分析素子１１に設けられたバーコードを読み取るためのバーコードリーダーが設置されている。このバーコードリーダーは、検査項目などを特定し、後の点着、測定を制御するため、および乾式分析素子１１の搬送方向（前後、表裏）を検出するために設けられている。
【００６１】
図１に示すように、点着ノズルユニット５は検体のサンプリングを行うもので、横方向に水平移動する横移動ブロック５１に上下移動する２つの上下移動ブロック５２，５２が設けられ、２つの上下移動ブロック５２，５２にそれぞれ固定された２つの点着ノズル５３，５３を有している。
横移動ブロック５１、２つの上下移動ブロック５２，５２は、図示しない駆動手段により横移動および上下移動が制御され、２つの点着ノズル５３，５３は、一体に横移動すると共に、独自に上下移動するようになっている。例えば、一方の点着ノズル５３は検体用であり、他方の点着ノズル５３は希釈液用および参照液用である。
【００６２】
両点着ノズル５３，５３は棒状に形成され、内部に軸方向に延びるエア通路が設けられ、下端にはピペット状のノズルチップ１２がシート状態で嵌合される。この点着ノズル５３，５３にはそれぞれ不図示のシリンジポンプ等に接続されたエアチューブが連結され、吸引・吐出圧が供給される。使用後のノズルチップ１２はチップ抜取り部で外されて落下廃却される。
【００６３】
（干渉防止部材除去部）
図２に示すように、点着部４とインキュベータ３との間には、干渉防止部材除去部３４が設けられている。
図６及び図７に示すように、干渉防止部材除去部３４には、搬送経路３５の長手方向に対して直交する方向に延びる長孔３６が形成されている。
搬送経路３５の裏面側には、分離ブレード３７が設けられている。分離ブレード３７は、基部３７Ａと基部３７Ａから延びる側面視で略円弧状に形成されたブレード本体３７Ｂとを含んで構成されている。
【００６４】
分離ブレード３７の基部３７Ａには、搬送経路３５の長手方向に対して直角に配置された軸３８が貫通しており、分離ブレード３７は軸３８を中心として矢印Ｂ方向、及び矢印Ｂ方向とは反対方向に揺動可能となっている。なお、軸３８は、搬送経路３５の下面に設けられた図示しない支持部材に固定されている。
軸３８は、長孔３６よりもインキュベータ３側（矢印Ａ側）に配置されており、ブレード本体３７Ｂは、基部３７Ａのインキュベータ３側とは反対側の上端部分からインキュベータ３側とは単体側の斜め上方に位置する長孔３６に向けて延びている。
【００６５】
基部３７Ａのインキュベータ３側の上端部分には、引張バネ３９の一端が係止されている。引張バネ３９の他端は、搬送経路３５の下面に設けられたバネ支持突起４２に係止されている。この引張バネ３９は、分離ブレード３７を矢印Ａ方向に回転する方向に張力を作用させている。
【００６６】
一方、基部３７Ａのインキュベータ３側の下端部分には、電磁ソレノイド４３のコア軸４４の端部がピン４５を介して接続されている。電磁ソレノイド４３は、図示しないコイルに通電することで、コア軸４４が矢印ｂ方向に移動する。
電磁ソレノイド４３のコイルに通電をしていない状態では、分離ブレード３７のブレード本体３７Ｂの先端は、搬送経路３５の上面よりも上方に突出している。なお、ブレード本体３７Ｂの先端の搬送経路３５の上面からの突出量は、干渉防止シート２６の厚み程度(例えば、０．０５〜０．２ｍｍ程度であるが、この厚みに限定されるものではない。）である。
コイルに通電をしてコア軸４４を矢印ｂ方向に移動することで、引張バネ３９は伸ばされ、分離ブレード３７は矢印Ｂ方向に回転し、ブレード本体３７Ｂの先端が搬送経路３５の上面よりも下方へ移動する。
【００６７】
長孔３６よりもインキュベータ３側には、搬送経路３５を搬送される乾式分析素子１１を検出する反射型フォトセンサ４６が設けられている共に、反射型フォトセンサ４６から出射する光ビーム、及び乾式分析素子１１で反射した光ビームを通過させる孔４７が搬送経路３５に形成されている。
【００６８】
インキュベータ３は、点着部４の延長位置に配置され、図２に示すように、円盤状の回転部材３１が図示しない回転駆動機構によって回転可能に設けられ、回転部材３１の上には不図示の上位部材が配設され、回転部材３１の円周上に乾式分析素子１１を収納する素子室３２が所定間隔で複数配設されてなる。素子室３２の底面の高さは点着部４の搬送面の高さと同一に設けられ、点着部４から挿入された乾式分析素子１１を素子室３２内で、上位部材に付設された加熱手段の温度調整によって所定温度にインキュベーション（恒温保持）する。
【００６９】
また、回転部材３１の中心には廃却口３３が形成され、素子室３２の測定後の乾式分析素子１１がそのまま中心側に移動されると、乾式分析素子１１は廃却口３３から落下される。なお、インキュベータ３の上面にはカバーが配設され、廃却口３３の下方には測定後の乾式分析素子１１を回収する回収箱（図示せず）が配設されている。
【００７０】
上記インキュベータ３には乾式分析素子１１の測定を行う不図示の測定手段を備える。インキュベータ３には比色タイプの乾式分析素子１１と電解質タイプの乾式分析素子１１とが搬送されるもので、両者の測定が行える測定手段（測光手段と電位差測定手段）を備える。
なお、点着部４の側方に電位差測定手段を備えた第２のインキュベータを配設し、これには電解質タイプの乾式分析素子１１を分離搬送して、その電位差測定を行うようにしてもよい。
【００７１】
比色測定法の場合は、回転部材３１の各素子室３２の底面中央に測光用の開口が形成され、この開口を通して測定手段の測光ヘッドによる乾式分析素子１１の反射光学濃度の測定が行われる。
インキュベータ３は回転部材３１が往復回転駆動され、所定回転位置の下方に配設された測光ヘッドに対して、順次素子室３２の乾式分析素子１１の呈色反応の光学濃度の測定を行い、この一連の測定の後、逆回転して基準位置に復帰し、次の測定を行うように、所定角度範囲内で往復回転駆動を行うように制御するものである。
【００７２】
また、イオン活量を測定する場合は、素子室３２の側辺部に、イオン活量測定のための３対の開口が形成され、電位差測定手段の３対の電位測定用プローブが乾式分析素子１１のイオン選択電極に接触可能に設けられる。そして、一方の液供給孔に検体が、他方の液供給孔に参照液が点着された乾式分析素子１１では、イオン選択電極対の間にそれぞれ参照液と検体との間のイオン活量の差に対応する電位差が発生するため、電位測定用プローブにより各イオン選択電極対から生ずる電位差を測定すれば検体中の各イオン活量が測定できる。
【００７３】
次に、血液濾過ユニット６（図１参照。）は、サンプラトレイ２に保持された検体容器１０（採血管）の内部に挿入され上端開口部に取り付けられたガラス繊維からなるフィルターを有するホルダー１６を介して血液から血漿を分離吸引し、ホルダー１６上端のカップ部に濾過された血漿を保持するようになっている。負圧を作用させる吸引部６１の先端下方側にはホルダー１６と吸着する吸盤部６２が設けられ、この吸盤部６２は不図示のポンプと接続される。吸引部６１は支持柱６３に対し、不図示の昇降機構により昇降移動するように支持されている。
【００７４】
そして、血液からの血漿の分離は、吸引部６１を下降して検体容器１０のホルダー１６に密着させる。ポンプを駆動して、検体容器１０内の全血を吸い上げフィルターにより濾過しカップ部に血漿が供給される。その後、吸引部６１を上昇して元の位置に移動して濾過を終了する。
【００７５】
図１は上記のような機構を装置本体１７（ケース）に設置した生化学分析装置１の外観を示すものであり、インキュベータ３の上部には操作パネル１８が配設されている。サンプラトレイ２、点着ノズルユニット５は開閉可能な透明保護カバー１９によって覆われている。サンプラトレイ２に対する検体カートリッジ７の装填、交換は、透明保護カバー１９を開いて（外して）行われる。
【００７６】
（作用）
次いで、本参考例の生化学分析装置１の動作について説明する。まず、分析を行う前に、装置外で検体カートリッジ７に対し検体を収容した検体容器１０およびその測定項目に対応した種類の複数枚の乾式分析素子１１を包装体２７から取り出して装填する。なお、複数枚の乾式分析素子１１は、展開層２４Ａが上側を向くように検体カートリッジ７に積み重ねて装填する。        
この検体カートリッジ７を、透明保護カバー１９を外してサンプラトレイ２に装填する。検体が複数の場合には、それぞれの検体に対応した検体カートリッジ７を装填する。また、消耗品であるノズルチップ１２、混合カップ１３、希釈液容器１４および参照液容器１５をサンプラトレイ２に装填する。図２の形態では消耗品カートリッジ８を装填する。
【００７７】
その後、スタートボタンを押して分析処理をスタートする。図８のフローチャートにしたがって以下に処理の説明を行う。
【００７８】
先ず、ステップ９２では、血液濾過ユニット６により、検体容器１０内の全血を濾過して血漿成分を得る。
次のステップ９４では、サンプラトレイ２を回転させて測定する検体の検体カートリッジ７を点着部４に対応する位置に停止させる。
次のステップ９６では、搬送手段９の素子搬送部材９１によりその検体カートリッジ７から乾式分析素子１１を点着部４に搬送する。
次のステップ９８では、搬送途中にバーコードリーダーにより乾式分析素子１１に設けられたバーコードが読み取られ、乾式分析素子１１の検査項目などを検出する。
なお、読み取られた検査項目がイオン活量測定の場合、希釈依頼項目の場合等に応じて異なる処理を行う。
【００７９】
読み取られた検査項目が比色測定の場合の処理について以下に説明をする。
ステップ１００では、サンプラトレイ２を回転させて点着ノズル５３の下方にノズルチップ１２を移動させ、点着ノズル５３に装着する。
次のステップ１０２では、続いて検体容器１０を移動させ、点着ノズル５３を下降してノズルチップ１２に検体を吸引し、点着ノズル５３を点着部４に移動して、乾式分析素子１１に検体を点着する。
【００８０】
次のステップ１０４では、検体が点着された乾式分析素子１１を干渉防止部材除去部３４側へ搬送する。
なお、初期状態において、ブレード本体３７Ｂの先端は、搬送経路３５の上面よりも上方に突出しており、この状態で乾式分析素子１１をインキュベータ３側に搬送させると、ブレード本体３７Ｂの先端に干渉防止シート２６の端部が引っかかる。
【００８１】
次のステップ１０６では、反射型フォトセンサ４６によって乾式分析素子１１の先端が検出されたか否かが判断され、乾式分析素子１１の先端が検出されるとステップ１０８へ進み、電磁ソレノイド４３のコイルに通電を行い、分離ブレード３７を矢印Ｂ方向に回転させる。これにより、干渉防止シート２６を引っ掛けたブレード本体３７Ｂの先端が下方に移動し、干渉防止シート２６が乾式分析素子１１からより引き剥がされることとなり、干渉防止シート２６の剥離性が向上する。
【００８２】
そして、乾式分析素子１１が更にインキュベータ３側に移動するにつれて干渉防止シート２６がブレード本体３７Ｂによって乾式分析素子１１から徐々に剥がされる。なお、剥がされた干渉防止シート２６は、ブレード本体３７Ｂの側面に沿って下方に移動する。ブレード本体３７Ｂの側面に沿って干渉防止シート２６が滑り易いように、ブレード本体３７Ｂの側面にフッ素樹脂等の低摩擦係数のコーティングを施すことが好ましい。
なお、干渉防止シート２６は、最終的には乾式分析素子１１から分離して分離ブレード３７の下方へ落下して回収箱（図示せず）に廃棄される。
【００８３】
次のステップ１１０では、乾式分析素子１１が反射型フォトセンサ４６の上を通過しきったか否かが判断され、乾式分析素子１１が反射型フォトセンサ４６の上を通過しきったと判断されるとステップ１１２へ進み、電磁ソレノイド４３のコイルへの通電が停止する。これにより、コア軸４４が矢印ａ方向に移動し、分離ブレード３７が引張バネ３９の張力によって矢印Ａ方向に回転し、分離ブレード３７は初期位置（ブレード本体３７Ｂの先端が搬送経路３５の上面よりも上方に突出した状態）へと戻される。
【００８４】
次のステップ１１４では、乾式分析素子１１がインキュベータ３に挿入され、インキュベータ３の素子室３２を回転して、挿入された乾式分析素子１１を順次測光ヘッドと対向する位置に移動する。そして、所定時間後、インキュベータ３の下側に配置された測光ヘッド（図示せず）により、乾式分析素子１１の裏面の孔２５Ａを介して反応層２４Ｃの反射光学濃度の測定が行われる。
【００８５】
次のステップ１１６では、素子室３２を挿入時の位置に戻し、素子搬送部材９１によって測定後の乾式分析素子１１をインキュベータ３の中心側に押し出し廃却口３３を介して回収箱（図示せず）に廃却する。
次のステップ１１８では、測定結果を出力し、使用済みのノズルチップ１２を点着ノズル５３から外し、その後、ステップ１２０へ進む。
ステップ１２０では、最終の乾式分析素子１１を処理したか否かを判断し、最後の乾式分析素子１１を処理していないと判断した場合には、ステップ９６へ戻り、最後の乾式分析素子１１を処理したと判断した場合には、処理を終了する。
【００８６】
なお、検査項目が希釈依頼項目の場合、例えば血液の濃度が濃すぎて正確な検査を行うことができないような場合には、サンプラトレイ２を移動してノズルチップ１２を点着ノズル５３に装着する。次にサンプラトレイ２を移動して検体上で点着ノズル５３を下降してノズルチップ１２に検体を吸引する。サンプラトレイ２を移動して吸引した検体をノズルチップ１２から混合カップ１３に分注した後、使用済みのノズルチップ１２を外す。次いで、新しいノズルチップ１２を点着ノズル５３に装着し、希釈液容器１４からノズルチップ１２に希釈液を吸引する。吸引した希釈液をノズルチップ１２から混合カップ１３に吐出する。そして、ノズルチップ１２を混合カップ１３内に挿入して吸引と吐出とを繰り返して撹拌を行う。撹拌を行った後、希釈した検体をノズルチップ１２に吸引し、希釈した検体を吸引した点着ノズル５３を点着部４に移動して、乾式分析素子１１に検体を点着する。以下同様に、干渉防止シート２６の除去、測光、素子廃却、結果出力およびチップ廃却を行って処理を終了する。
【００８７】
次いで、検査項目がイオン活量の測定の場合について説明する。なお、イオン活量の測定の場合は、電解質タイプの乾式分析素子１１が搬送される。まず、一方の点着ノズル５３にノズルチップ１２を装着し、検体を吸引する。次に、他方の点着ノズル５３にノズルチップ１２を装着し、参照液容器１５から参照液を吸引する。次いで、一方の点着ノズル５３により検体を乾式分析素子１１の一方の液供給孔に点着し、さらに、他方の点着ノズル５３により参照液を乾式分析素子１１の他方の液供給孔に点着する。
【００８８】
そして、検体および参照液が点着された乾式分析素子１１が、点着部４からインキュベータ３の素子室３２に挿入される。この乾式分析素子１１がインキュベータ３に挿入されると、電位差測定手段によるイオン活量の測定が行われる。測定終了後、素子搬送部材９１によって測定後の乾式分析素子１１をインキュベータ３の中心部の廃却口３３に廃却する。そして測定結果を出力し、両方の使用済みのノズルチップ１２，１２を両点着ノズル５３，５３から外して廃却し、処理を終了する。
【００８９】
以上説明した様に、本参考例の装置に用いる乾式分析素子１１には、裏面に干渉防止シート２６が貼り付けられているが、干渉防止部材除去部３４によって干渉防止シート２６を自動的に除去できるので、オペレーターが干渉防止シート２６を剥がす手間がかからない。このため、効率的に測定処理を行うことが出来る。
また、測定直前に装置で干渉防止シート２６を剥がすことの利点として、包装体２７の内部、または複数枚の乾式分析素子１１を積み重ねた状態で装置に装填した状態において、素子内の薬剤成分のガス化による他素子への影響を最小とすることが可能となり、精度の高い分析を行うことができる。
【００９０】
［第２の参考例］
次に、第２の参考例を図９にしたがって説明する。なお、第１の参考例と同一構成には同一符号を付し、その説明は省略する。
図９に示すように、本参考例の干渉防止部材除去部３４は、分離ブレード３７の替わりに、粘着ローラ５４が設けられている。粘着ローラ５４は、図示しないモータからの駆動力によって矢印Ｄ方向に回転する軸５５Ａを備えており、軸５５Ａには一対のローラ５５が固定されている。
【００９１】
ローラ５５の表面には、乾式分析素子１１の干渉防止シート２６を貼り付けている粘着剤よりも粘着力の強い粘着剤がコーティングされており、ローラ表面の粘着剤を干渉防止シート２６に接触させて回転させることによって、干渉防止シート２６を乾式分析素子１１から引き剥がすことが出来る。
【００９２】
なお、搬送経路３５を搬送される乾式分析素子１１の干渉防止シート２６が付着（粘着）する様に、ローラ５５の上端は長孔３６から搬送経路３５の上面よりも若干上方に突出している。
ローラ５５とローラ５５との間には、分離ブレード５６が配置されている。この分離ブレード５６は、先端がローラ５５の外周面よりも径方向内側に位置しており、先端部分を除いたインキュベータ３側（矢印Ａ方向側）の側面がローラ５５よりもインキュベータ３側で、かつローラ５５よりも下方に延びている。
【００９３】
回転するローラ５５の粘着剤に干渉防止シート２６が付着すると、ローラ５５の外周面に、周方向に干渉防止シート２６が順次付着して行くことになるが、分離ブレード３７が干渉防止シート２６をローラ５５の外周面から引き剥がすので、乾式分析素子１１から剥がされた干渉防止シート２６はローラ５５に巻き付くことなくローラ５５の下方に落下する。
なお、ローラ５５の下方へ落下した干渉防止シート２６は回収箱（図示せず）に廃棄される。
【００９４】
［その他の参考例］
上記参考例の乾式分析素子１１の形状は一例であり、本発明において乾式分析素子１１の形状は上記のものに限定されるものでは無い。
上記参考例の乾式分析素子１１では、図３（Ｂ）に示すように干渉防止シート２６の一辺側が全体的にマウント２３の一辺から搬送方向前方側へ突出していたが、図１０（Ａ）に示すように、干渉防止シート２６の一辺側の一部分のみがマウント２３の一辺から搬送方向前方側へ突出していても良い。
【００９５】
また、図１０（Ｂ）に示すように、干渉防止シート２６の一部分（搬送方向前方側）の一部分がマウント２３から剥がれていれば分離ブレード５６の先端が干渉防止シート２６に引っ掛かり易いため、干渉防止シート２６の一部をマウント２３の搬送方向前方側の一辺から搬送方向前方側へ突出させなくても良い。
【００９６】
上記参考例では、干渉防止部材除去部３４を点着部４とインキュベータ３との間に配置したが、干渉防止部材除去部３４は、サンプラトレイ２と点着部４との間に配置することも出来る。
【００９７】
上記参考例では、マウント２３の裏面側のカバープレート２５に干渉防止シート２６を貼り付けていたが、本発明はこれに限らず、点着孔２３Ａを塞ぐ様に干渉防止シート２６をマウントの表面（上面）側に貼り付けても良い。点着孔２３Ａを干渉防止シート２６で塞ぐことにより、多層試薬フィルム２４の反応層２４Ｃに含まれている試薬が他の乾式分析素子１１の多層試薬フィルム２４の反応層２４Ｃに影響を与えることは無い。
なお、この場合、干渉防止部材除去部３４は、サンプラトレイ２と点着部４との間に配置する。また、干渉防止シート２６を剥がす分離ブレード３７、及び粘着ローラ５４は、搬送経路３５の上側に設ける。
【００９８】
上記第２の参考例では、粘着剤がコーティングされた回転するローラ５５を乾式分析素子１１の干渉防止シート２６に接触させたが、乾式分析素子１１が剥がされるのであれば、粘着剤の付与された部材の形状は、円弧形状、平面形状等の他の形状であっても良く、ローラ形状に限定されるものではない。また、ローラ５５の表面に両面粘着テープを貼り付けても良く、ローラ５５を粘着性を有するゴム（ブチルゴム等）や合成樹脂等で形成しても良い。
【００９９】
上記第２の参考例では、粘着剤がコーティングされたローラ５５を乾式分析素子１１の干渉防止シート２６に接触させたが、乾式分析素子１１が剥がされるのであれば、粘着剤の付与された部材の形状は、円弧形状、平面形状等の他の形状であっても良く、ローラ形状に限定されるものではない。
【０１００】
上記参考例では、生化学分析装置１に干渉防止部材除去部３４が一体的に設けられていた例を示したが、乾式分析素子１１を装填する装填部（例えば、乾式分析素子１１を積み重ねた状態で保持する素子保持部７２に相当する部分）、装填部から乾式分析素子１１を搬送する搬送手段（例えば、搬送手段９）、及び干渉防止部材除去部３４から構成される単独の干渉防止シート分離装置を生化学分析装置１とは別体で構成することも出来る。
【０１０１】
［実施形態］
次に、生化学分析装置１の実施形態を図１１〜図１５にしたがって説明する。なお、前述した参考例と同一構成には同一符号を付し、その説明は省略する。
先ず、本実施形態の乾式分析素子１１について以下に説明する。
図１１に示すように、本実施形態の比色タイプの乾式分析素子１１では、マウント２３の裏面に、第１の参考例よりも肉厚のカバープレート２５が接着されている。
本実施形態の乾式分析素子１１では、カバープレート２５の孔２５Ａに、キャップ９２が嵌めこまれている。
【０１０２】
図１１、及び図１２に示すように、キャップ９２は、円板部９２Ａと、円板部９２Ａと一体に形成された環状の突起である圧入部９２Ｂとを備えて構成されている。
キャップ９２は、多層試薬フィルム２４の反応層２４Ｃに含まれている試薬を透過させない、または透過し難い合成樹脂等から形成されている。
【０１０３】
図１２に示すように、圧入部９２Ｂの端部には、孔２５Ａへ挿入し易くするためのテーパー状の面取り９４が形成されている。
また、円板部９２Ａの端部は、ブレード本体３７Ｂの先端が引っ掛かりやすいように、テーパー状の面取り９６が形成されている。
【０１０４】
図１３に示すように、試薬の種類が各々異なる複数枚の乾式分析素子１１は、同じ向きに積層された状態で、包装体２７によって真空包装されている。
本実施形態の生化学分析装置１では、図１４に示すように、干渉防止部材除去部３４の搬送経路３５の幅方向中央に、キャップ９２を搬送経路３５に接触しないようにするための浅溝３５Ａが形成されている。
【０１０５】
（作用）  
図１３に示すように、複数枚の乾式分析素子１１が積層されることで、例えば、一番上の乾式分析素子１１は、展開層２４Ａが露出しているが、上から２番目から一番下までは乾式分析素子１１の表面（上面）が、その上側に配置される乾式分析素子１１の裏面に取り付けられたキャップ９２に密着するので、展開層２４Ａは露出していない。
【０１０６】
ここで、上から２番目から一番下までは乾式分析素子１１は、展開層２４Ａが露出していないため、乾式分析素子１１の試薬が、他の乾式分析素子１１の試薬の影響を受けることが防止される（干渉防止）。
【０１０７】
一方、一番上の乾式分析素子１１は、展開層２４Ａが露出しているが、他の乾式分析素子１１の表面は全てキャップ９２が密着して展開層２４Ａで塞がれているので、複数枚の乾式分析素子１１が包装体２７の中で積層されている限り、一番上の乾式分析素子１１の試薬が他の乾式分析素子１１の試薬に影響されることは無い。
【０１０８】
本実施形態では、搬送経路３５には幅方向中央部分に浅溝３５Ａが形成されているため、乾式分析素子１１を搬送経路３５上で搬送すると、乾式分析素子１１の搬送方向と直交する方向の両端付近の下面が搬送経路３５を摺動しながら乾式分析素子１１の搬送が行われ、キャップ９２の円板部９２Ａが搬送経路３５に接触することは無い。
【０１０９】
本実施形態では、乾式分析素子１１の先端が反射型フォトセンサ４６によって検出され、所定時間が経過すると、電磁ソレノイド４３のコイルに通電が行われ、図１５（Ａ）に示すように分離ブレード３７が矢印Ｂ方向に回転する。これにより、図１５（Ｂ）に示すように、キャップ９２の円板部９２Ａを引っ掛けたブレード本体３７Ｂの先端が下方に移動し、キャップ９２が乾式分析素子１１の孔２５Ａから除去される。
乾式分析素子１１から除去されたキャップ９２は、分離ブレード３７の下方へ落下して回収箱（図示せず）に廃棄される。
なお、その他の作用効果は第１の参考例と同様である。
【０１１０】
［第２の実施形態］
次に、生化学分析装置１の第２の実施形態を図１６乃至図１８にしたがって説明する。なお、前述した実施形態と同一構成には同一符号を付し、その説明は省略する。
先ず、本実施形態の乾式分析素子１１について以下に説明する。
本実施形態の乾式分析素子１１は第１の実施形態の乾式分析素子１１の変形例であり、図１６（Ａ），（Ｂ）に示すように、カバープレート２５の四隅に円柱状の脚部９６が一体的に形成されている。図１６（Ｂ）に示すように、脚部９６の高さをａ、乾式分析素子１１に取り付けたキャップ９２の円板部９２Ａの厚さをｂとしたときに、ａ≦ｂに設定されている。
【０１１１】
図１７には、本実施形態の複数枚の乾式分析素子１１が、同じ向きに積層された状態で、包装体２７によって真空包装されている状態が示されており、一番上の乾式分析素子１１は、点着孔２３Ａが開口して展開層２４Ａ（図示省略）が露出しているが、上から２番目から一番下までは乾式分析素子１１の表面（上面）は、その上側に配置される乾式分析素子１１の裏面に取り付けられたキャップ９２に密着するので、展開層２４Ａは露出していない。
【０１１２】
なお、乾式分析素子１１は、カバープレート２５の四隅に脚部９６が形成されているため、乾式分析素子１１が包装体２７の内部で積層されている際に、乾式分析素子１１の傾斜が抑制され、乾式分析素子１１同士の密着と乾式分析素子１１の姿勢の安定をもたらす効果が得られる。
【０１１３】
図１８に示すように、本実施形態では、乾式分析素子１１を搬送経路３５上で搬送すると、脚部９６が搬送経路３５を摺動しながら乾式分析素子１１の搬送が行われる。なお、搬送経路３５には浅溝３５Ａが形成されているため、仮に脚部９６の高さａとキャップ９２の円板部９２Ａの厚さｂとの関係がａ≦ｂに設定されていたとしても、キャップ９２の円板部９２Ａが搬送経路３５に接触することは無い。
なお、浅溝３５Ａは、脚部９６の高さａがキャップ９２の円板部９２Ａの厚さよりも大きければ、キャップ９２は搬送箇所に当らないので、脚部９６の高い分だけ浅溝３５Ａの深さを浅くしても良い。
その他の作用効果は第１の実施形態と同様である。
【０１１４】
［第３の実施形態］
次に、生化学分析装置１の第３の実施形態を図１９にしたがって説明する。なお、前述した実施形態と同一構成には同一符号を付し、その説明は省略する。
上記第１、２の実施形態では、キャップ９２を乾式分析素子１１のカバープレート２５の孔２５Ａに取り付けたが、本実施形態では、図１９（Ａ）に示すように、キャップ９２をマウント２３の点着孔２３Ａに取り付けている。包装体２７で包装される全ての乾式分析素子１１においてキャップ９２をマウント２３の点着孔２３Ａに取り付ければ、展開層２４Ａはキャップ９２で塞がれ、乾式分析素子１１の試薬が他の乾式分析素子１１の試薬に影響されることは無い（干渉防止）。
【０１１５】
キャップ９２をマウント２３の点着孔２３Ａに取り付けた場合、分離ブレード３７を搬送経路３５の上側に配置すれば、図１９（Ａ），（Ｂ）に示すように、分離ブレード３７を動かすことで、分離ブレード３７でキャップ９２を引っ掛け、搬送される乾式分析素子１１からキャップ９２を除去することが出来る。なお、乾式分析素子１１から除去されたキャップ９２は、回収箱（図示せず）に廃棄することができる。
その他の作用効果は第１の実施形態と同様である。
【０１１６】
以上、本発明の一実施形態について説明したが、本発明の構成は、上記の実施形態に限定されるものでなく、上記の実施形態以外にも、その主旨を逸脱しない範囲内において種々変形して実施可能であることは勿論である。
【符号の説明】
【０１１７】
１      生化学分析装置
３      インキュベータ（検査部）
７      検体カートリッジ
９      搬送手段
１１    乾式分析素子
２６    干渉防止シート（干渉防止部材）
３４    干渉防止部材除去部
３７    分離ブレード（除去部材）
４３    電磁ソレノイド
５５    ローラ（粘着部材、除去部材）
５６    分離ブレード（ブレード）
９２    キャップ（干渉防止部材）
【図１】
0005587271.tif 000002
【図２】
0005587271.tif 000003
【図３】
0005587271.tif 000004
【図４】
0005587271.tif 000005
【図５】
0005587271.tif 000006
【図６】
0005587271.tif 000007
【図７】
0005587271.tif 000008
【図８】
0005587271.tif 000009
【図９】
0005587271.tif 000010
【図１０】
0005587271.tif 000011
【図１１】
0005587271.tif 000012
【図１２】
0005587271.tif 000013
【図１３】
0005587271.tif 000014
【図１４】
0005587271.tif 000015
【図１５】
0005587271.tif 000016
【図１６】
0005587271.tif 000017
【図１７】
0005587271.tif 000018
【図１８】
0005587271.tif 000019
【図１９】
0005587271.tif 000020